(57)【要約】【課題】自動販売機本体の側面の雨水による汚れを防止することのできる自動販売機を提供する。【解決手段】自動販売機本体１０の左右両端部に、自動販売機本体１０の上面を形成する上面板１１ａと自動販売機本体１０の左右両側面を形成する側面板１１ｃとを接合する接合部１１ｄを前後方向に延びるように設け、上面板１１ａの上面の高さよりも高くなるように形成され、上面板１１ａと側面板１１ｃの左右両側との隙間を塞ぐシール部材１１ｆを接合部１１ｄに設けたので、自動販売機本体１０の上面板１１ａに落ちる雨水を、自動販売機本体１０の左右両側面側に流すことなく、上面板１１ａから例えば自動販売機本体１０の背面側に流すことができ、自動販売機本体１０の側面側の雨水による汚れを防止することが可能となる。【選択図】図４
2008310735.tif 000002
【特許請求の範囲】
【請求項１】
自動販売機本体の上面の左右両端側に、自動販売機本体の上面を形成する上面板と自動販売機本体の左右両側面を形成する側面板とを接合する接合部を前後方向に延びるように設け、
接合部に、上面板の上面の高さよりも高くなるように形成され、上面板と側面板との隙間を塞ぐシール部材を設けた
ことを特徴とする自動販売機。
【請求項２】
各側面板の上端に、自動販売機本体の左右方向中央部側に向かって水平方向に延びるフランジを設け、
接合部を、各フランジの上面に上面板を配置した状態で各フランジと上面板の左右両端側を接合することにより構成した
ことを特徴とする請求項１記載の自動販売機。
【請求項３】
各側面板の上端に、自動販売機本体の左右方向中央部側に向かって水平方向に延びるフランジを設け、
接合部を、各フランジの下面に上面板を配置した状態で各フランジと上面板の左右両端側を接合することにより構成した
ことを特徴とする請求項１記載の自動販売機。
【発明の詳細な説明】
【技術分野】
【０００１】
本発明は、屋外に設置される自動販売機に関するものである。
【背景技術】
【０００２】
従来、この種の自動販売機としては、前面が開口された自動販売機本体と、自動販売機本体の前面を開閉する外扉とを備え、自動販売機本体の筐体が金属板によって箱状に形成されたものが知られている（例えば、特許文献１参照）。また、この自動販売機本体の左右両側面には、広告として企業名や商品名などの図柄が描かれている。
【特許文献１】実開平２−９９７１号公報
【発明の開示】
【発明が解決しようとする課題】
【０００３】
ところで、前記自動販売機を屋外に設置すると、雨水が自動販売機本体の上面から側面に流れることにより、自動販売機本体の側面に水垢や塵埃が付着して汚れ、見栄えが悪くなる。自動販売機本体の側面の汚れを防止するためには、定期的に自動販売機本体を清掃しなければならず、メンテナンスコストが高くなる。
【０００４】
本発明は前記問題点に鑑みてなされたものであり、その目的とするところは、自動販売機本体の側面の雨水による汚れを防止することのできる自動販売機を提供することにある。
【課題を解決するための手段】
【０００５】
本発明は前記目的を達成するために、自動販売機本体の上面の左右両端側に、自動販売機本体の上面を形成する上面板と自動販売機本体の左右両側面を形成する側面板とを接合する接合部を前後方向に延びるように設け、接合部に、上面板の上面の高さよりも高くなるように形成され、上面板と側面板との隙間を塞ぐシール部材を設けている。
【０００６】
これにより、自動販売機本体の上面の左右両端側に設けられた接合部の上面板と側面板との隙間を塞ぐシール部材が上面板の上面の高さよりも高くなるように形成されていることから、自動販売機本体の上面に落ちる雨水が、自動販売機本体の側面側を流れることはなく、例えば自動販売機の上面から背面側に向かって流される。
【発明の効果】
【０００７】
本発明によれば、自動販売機本体の上面に落ちる雨水を、自動販売機本体の側面側へ流すことなく、例えば自動販売機本体の上面から背面側に向かって流すことができるので、自動販売機本体の側面側の雨水による汚れを防止することが可能となる。
【発明を実施するための最良の形態】
【０００８】
図１乃至図４は本発明の一実施形態を示すもので、図１は自動販売機の全体斜視図、図２は自動販売機本体の筐体を示す全体斜視図、図３は自動販売機本体の筐体の分解斜視図、図４は自動販売機本体の筐体の要部正面断面図である。
【０００９】
この自動販売機は、前面を開口した自動販売機本体１０と、自動販売機本体１０の前面を開閉する外扉２０とを備えている。
【００１０】
自動販売機本体１０は、上面側、背面側、底面側及び左右両側面側を覆う筐体１１を備えている。筐体１１内には、図示しない断熱材によって形成された図示しない商品収納室と商品収納室の下方に設けられた図示しない機械室が設けられている。商品収納室内には、周知のサーペンタイン式の商品収納コラムが収納されており、販売する商品が搬出されるようになっている。また、機械室内には、商品収納室を冷却または加熱するための機器が収納されるようになっている。
【００１１】
筐体１１は、上面側を形成する上面板１１ａと、底面側を形成する底面板１１ｂと、背面側及び左右両側面側を形成する側面板１１ｃとからなる。上面板１１ａ、底面板１１ｂ及び側面板１１ｃは、それぞれ薄板鋼板を板金加工することにより形成されている。上面板１１ａ、底面板１１ｂ及び側面板１１ｃは、互いにスポット溶接によって接合されている。
【００１２】
筐体１１の上面の左右両側には、上面板１１ａと側面板１１ｃが接合される接合部１１ｄが設けられている。上面板１１ａは、左右方向の寸法が側面板１１ｃの左右方向の寸法よりもやや小さく形成されている。また、側面板１１ｃには、左右両側面側の上端からそれぞれ前後方向に渡って左右方向中央に向かって水平に延びる一対のフランジ１１ｅが設けられている。上面板１１ａと側面板１１ｃは、一対のフランジ１１ｅに上面板１１ａを載せた状態で各フランジ１１ｅと上面板１１ａの左右両側をスポット溶接によって溶着させることにより接合されるようになっている。上面板１１ａの左右両端部と各フランジ１１ｅの上面の間は前後方向に渡ってシール部材１１ｆが設けられている。
【００１３】
シール部材１１ｆは、例えばウレタン系樹脂等のシーリング材からなり、ペースト状のシーリング材を上面板の左右両端部と各フランジの上面の間に詰めて硬化させたものである。また、シール部材１１ｆは、上端部の高さが上面板１１ａの上面の高さよりも前後方向に渡って高くなるように突条に形成されている。
【００１４】
外扉２０には、自動販売機本体１０内に収納される販売商品の商品サンプルを展示するためのサンプル展示室２１、商品選択スイッチ２２、硬貨投入口２３、紙幣投入口２４、表示パネル２５、返却レバー２６、外扉開閉用のハンドル２７、硬貨返却口２８及び商品取出口２９が設けられている。
【００１５】
以上ように構成された自動販売機を屋外に設置した場合、降雨によって自動販売機本体１０の上面に落下する雨水は、自動販売機本体１０の上面の左右両端部を前後方向に延びるシール部材１１ｆによって、自動販売機本体１０の左右両側面に流れ落ちることはなく、例えば自動販売機本体１０の背面側に流れ落ちる。
【００１６】
このように、本実施形態の自動販売機によれば、自動販売機本体１０の左右両端側に、自動販売機本体１０の上面を形成する上面板１１ａと自動販売機本体１０の左右両側面を形成する側面板１１ｃとを接合する接合部１１ｄを前後方向に延びるように設け、上面板１１ａの上面の高さよりも高くなるように形成され、上面板１１ａと側面板１１ｃの左右両側との隙間を塞ぐシール部材１１ｆを接合部１１ｄに設けたので、自動販売機本体１０の上面板１１ａに落ちる雨水を、自動販売機本体１０の左右両側面側に流すことはなく、上面板１１ａから例えば自動販売機本体１０の背面側に流すことができ、自動販売機本体１０の側面側の雨水による汚れを防止することが可能となる。
【００１７】
また、側面板１１ｃの左右両側の上端に、自動販売機本体１０の左右方向中央部に向かって水平方向に延びるフランジ１１ｅを設け、各フランジ１１ｅの上面に上面板１１ａを配置した状態で、各フランジ１１ｅと上面板１１ａの左右両端側を接合することにより接合部１１ｄを構成したので、シール部材１１ｆが設けられる接合部１１ｄと自動販売機本体１０の左右方向の端部との距離を小さくすることができ、自動販売機本体１０の上面から側面側に流れ落ちる雨水をより少なくすることが可能となる。
【００１８】
尚、前記実施形態では、各フランジ１１ｅの上面に上面板１１ａを配置した状態で、各フランジ１１ｅと上面板１１ａの左右両側を接合することにより接合部１１ｄを構成したものを示したが、図５に示すように、各フランジ１１ｅの下面に上面板１１ａを配置した状態で、各フランジ１１ｅと上面板１１ａの左右両端側を接合することにより接合部１１ｄを構成するようにしても良い。この場合、各フランジ１１ｅの上面の高さが上面板１１ａの上面の高さよりも高くなるため、降雨によって自動販売機本体１０の上面に落下する雨水は、シール部材１１ｆ及びフランジ１１ｅによって、自動販売機本体１０の左右両側面に流れ落ちることはなく、上面板１１ａから例えば自動販売機本体１０の背面側に流すことができ、自動販売機本体１０の側面側の水垢や塵埃等による汚れをより確実に防止することが可能となる。
【図面の簡単な説明】
【００１９】
【図１】自動販売機の全体斜視図
【図２】筐体の全体斜視図
【図３】筐体の分解斜視図
【図４】筐体の要部正面断面図
【図５】その他の例を示す筐体の要部正面断面図
【符号の説明】
【００２０】
１０…自動販売機本体、１１…筐体、１１ａ…上面板、１１ｃ…側面板、１１ｄ…接合部、１１ｅ…フランジ、１１ｆ…シール部材。
【図１】
2008310735.tif 000003
【図２】
2008310735.tif 000004
【図３】
2008310735.tif 000005
【図４】
2008310735.tif 000006
【図５】
2008310735.tif 000007